(57)【要約】【課題】書籍その他の商品や物品に、これが会計済みであること、その他各種の必要な情報を表示するにあたって、表示が不要となったときにも物品を破損することなく物品などからはがしやすくするとともに、小売り店における商品会計済み確認のためのコストの低減に寄与することができ、かつ不正貼り替え防止が可能なシールおよびその使用方法を提供する。【解決手段】弱粘着剤および不正貼替え防止用カットを組み合わせることに着目したもので、台紙２と、台紙２に仮着する粘着剤層を有するシール片３と、を有し、台紙２から剥離したシール片３を物品に貼り付けるシールであって、粘着剤層の粘着剤を弱粘着性とするとともに、シール片３に貼替え防止用カット５を形成した。【選択図】図１
2014235230.tif 000002
【特許請求の範囲】
【請求項１】
台紙と、
この台紙に仮着する粘着剤層を有するシール片と、を有し、前記台紙から剥離したこのシール片を物品に貼り付けるシールであって、
前記粘着剤層の粘着剤を弱粘着性とするとともに、
前記シール片に貼替え防止用カットを形成していることを特徴とするシール。
【請求項２】
前記貼替え防止用カットには、その一部にアンカット部を残していることを特徴とする請求項１記載のシール。
【請求項３】
前記粘着剤層の前記粘着剤は、ＪＩＳ  Ｚ−１５３８  ０２３７による接着力が、５０〜２５０ｇｆ／２５ｍｍであることを特徴とする請求項１または２記載のシール。
【請求項４】
当該シールの剥離力は、幅５０ｍｍの前記シール片を固定した状態で、前記台紙の端部を前記シール片の前記粘着剤層から剥離するように前記シール片に対して１８０度折り返した方向へ３００ｍｍ／分の速度で引きはがす際に要する力が、１０〜５０ｇｆ／５０ｍｍであることを特徴とする請求項１ないし３のいずれかに記載のシール。
【請求項５】
台紙と、
この台紙に仮着する粘着剤層を有するシール片と、を有し、前記台紙から剥離したこのシール片を物品に貼り付けるシールの使用方法であって、
前記シールは、その前記粘着剤層の粘着剤を弱粘着性としてあるとともに、
前記シール片に貼替え防止用カットを形成しておき、
前記台紙のみを転向剥離部において転向させて前記シール片を前記台紙から剥離して、前記物品に貼り付けることにより、所定の情報を表示可能とし、
この所定の情報の表示が不要となった際に、この貼り付けてある前記シール片を前記物品からはがすことを特徴とするシールの使用方法。
【発明の詳細な説明】
【技術分野】
【０００１】
本発明はシールおよびその使用方法にかかるもので、とくに書籍その他の商品ないし物品に貼り付けるためのシールおよびその使用方法に関するものである。
【背景技術】
【０００２】
従来から、たとえば書店その他の小売り店において、商品たとえば書籍の代金を会計済みであることを表示あるいは確認するために、通常は、会計済みのテープを貼り付ける手法、書籍にブックカバーをかける手法、あるいは小売り店専用の袋などに書籍を容れる手法、などを採用している。
【０００３】
書籍に会計済みのテープを貼り付ける手法においては、貼り付けられたテープを故意にはがして、購入前の書籍に貼り替えるという不正行為を防止するために、従来は、その裏面側に強粘着剤が塗布されたテープを使用して、故意にはがしにくくしている。
したがって、正規に購入した書籍を自宅に持ち帰って、不正目的ではなく、書籍からテープをはがして取り除こうとすると、テープが強粘着性であるために書籍自体（書籍の表面）が破れてしまうという問題がある。
反対に、書籍の破損を回避するために、弱粘着剤付きの、ないしは再剥離可能なテープを書籍に貼り付けると、極端な場合には不用意にはがれてしまうという問題、あるいは上述のように、貼り付けられたテープをわざとはがして、購入前の書籍に貼り替えられるという不正行為を防止することが困難になるという問題がある。
【０００４】
また、ブックカバーや袋などを用いる手法では、コストがかかるという問題がある。
【０００５】
なお、商品その他の物品について、会計済みはもちろん、その他必要な各種情報を表示する場合にも、同様な問題が発生する可能性がある。
【先行技術文献】
【特許文献】
【０００６】
【特許文献１】特開２００２−１８９４１７号公報
【発明の概要】
【発明が解決しようとする課題】
【０００７】
本発明は以上のような諸問題にかんがみなされたもので、書籍その他の商品や物品が会計済みであることを確認することができるシールおよびその使用方法を提供することを課題とする。
【０００８】
また本発明は、書籍その他の商品や物品に各種の必要な情報を表示するにあたって、表示が不要となったときに物品からはがしやすくしたシールおよびその使用方法を提供することを課題とする。
【０００９】
また本発明は、書店その他の小売り店における商品会計済み確認のためのコストの低減に寄与することができるシールおよびその使用方法を提供することを課題とする。
【００１０】
また本発明は、書籍その他の物品を破損することないとともに、不正貼り替え防止が可能なシールおよびその使用方法を提供することを課題とする。
【課題を解決するための手段】
【００１１】
すなわち本発明は、弱粘着剤および不正貼替え防止用カットを組み合わせることに着目したもので、第一の発明は、台紙と、この台紙に仮着する粘着剤層を有するシール片と、を有し、上記台紙から剥離したこのシール片を物品に貼り付けるシールであって、上記粘着剤層の粘着剤を弱粘着性とするとともに、上記シール片に貼替え防止用カットを形成していることを特徴とするシールである。
【００１２】
第二の発明は、台紙と、この台紙に仮着する粘着剤層を有するシール片と、を有し、上記台紙から剥離したこのシール片を物品に貼り付けるシールの使用方法であって、上記シールは、その上記粘着剤層の粘着剤を弱粘着性としてあるとともに、上記シール片に貼替え防止用カットを形成しておき、上記台紙のみを転向剥離部において転向させて上記シール片を上記台紙から剥離して、上記物品に貼り付けることにより、所定の情報を表示可能とし、この所定の情報の表示が不要となった際に、この貼り付けてある上記シール片を上記物品からはがすことを特徴とするシールの使用方法である。
【００１３】
上記貼替え防止用カットには、その一部にアンカット部を残していることができる。
【００１４】
上記粘着剤層の上記粘着剤は、ＪＩＳ  Ｚ−１５３８  ０２３７による接着力が、５０〜２５０ｇｆ／２５ｍｍであることができる。
【００１５】
当該シールの剥離力は、幅５０ｍｍの上記シール片を固定した状態で、上記台紙の端部を上記シール片の上記粘着剤層から剥離するように上記シール片に対して１８０度折り返した方向へ３００ｍｍ／分の速度で引きはがす際に要する力が、１０〜５０ｇｆ／５０ｍｍであることができる。
【発明の効果】
【００１６】
本発明によるシールおよびその使用方法においては、シール片の裏面側に塗布している粘着剤を弱粘着性とするとともに、シール片に貼替え防止用カットを形成しているので、たとえば、書籍その他の物品の会計済み確認用、あるいは必要な情報表示用に物品に貼り付けることができるとともに、弱粘着剤を用いているため、購入後にはがすことが容易で、書籍その他の物品の破損を防止可能である。ただし、はがす際には、貼替え防止用カットがきっかけとなって破れるため、はがしたシールを再利用することができなくなり、不正貼付けを防止することができる。
【００１７】
とくに第一の発明のシールによれば、粘着剤層の粘着剤を弱粘着性とするとともに、シール片に貼替え防止用カットを形成しているので、物品会計済みの確認あるいは情報表示とともに、書籍その他の物品を破損することなく、不正貼り替え防止にも寄与することができる。
【００１８】
とくに第二の発明のシールの使用方法によれば、シールの粘着剤を弱粘着性とするとともに、シール片に貼替え防止用カットを形成しておき、台紙のみを転向剥離部において転向させてシール片を台紙から剥離して、物品に貼り付けることにより、所定の情報を表示可能とし、この所定の情報の表示が不要となった際に、この貼り付けてあるシール片を物品からはがすようにしたので、不正貼り替え防止に寄与しつつ、書籍その他の物品を破損することなく、物品会計済みの確認あるいは必要な情報の表示を行うことができる。
【図面の簡単な説明】
【００１９】
【図１】本発明の実施例によるシール１の平面図である。
【図２】同、図１のＩＩ−ＩＩ線断面図である。
【図３】同、貼替え防止用カット５の部分からシール片３を切断分離することなく、台紙２からシール片３をきれいに剥離するためのシール剥離器１０の概略断面側面図である。
【図４】同、シール１および書籍Ｍを示す説明図であり、図４（１）は、書籍Ｍにシール片３を貼り付けた状態を示す斜視図、図４（２）は、書籍Ｍからシール片３をはがし始めた状態を示す斜視図、図４（３）は、シール外周部３Ａをはがした状態を示す斜視図、図４（４）は、シール中央部３Ｂもはがした状態を示す斜視図である。
【発明を実施するための形態】
【００２０】
本発明は、粘着剤層の粘着剤を弱粘着性とするとともに、シール片に貼替え防止用カットを形成したので、このシールを貼った書籍その他の物品を破損することなくはがすことが可能で、不正貼替え行為を防止することもできるシールおよびその使用方法を実現した。
【実施例】
【００２１】
つぎに本発明の実施例によるシール１およびその使用方法を図１ないし図４にもとづき説明する。
図１は、シール１を書籍会計済み確認用シールとして用いた場合の例を示し、シール１の平面図、図２は、図１のＩＩ−ＩＩ線断面図である。
シール１は、その表面が剥離性を有する帯状の台紙２と、台紙２に仮着した複数枚のシール片３と、を有する。
【００２２】
シール片３は、紙材あるいは合成樹脂材などからこれを形成し、その裏面（台紙２側）には粘着剤層４を積層し、台紙２から剥離したこのシール片３を物品（たとえば書籍Ｍ、図４、後述）に貼り付け可能としている。
【００２３】
シール片３には、図１に示すように、任意の形状たとえば菱形状の貼替え防止用カット５を形成しているとともに、その表示情報７として「お会計済」なる文字をあらかじめ印刷してある。
上記貼替え防止用カット５には、その一部（図示の例では、菱形の上下角部）に、長さ０．５ｍｍのアンカット部６を残してあり、台紙２からシール片３を剥離する際に、シール片３における貼替え防止用カット５の内部領域と、貼替え防止用カット５の外部領域とが完全に分離しないようにしてあるとともに、シール片３をその貼り付けた物品（書籍Ｍ）から無理にはがそうとすれば破けてしまって、事後の使用に耐えない仕組みにしている。なお、アンカット部６の長さは、０．３〜０．７ｍｍであればよい。
貼替え防止用カット５により、シール片３は、シール外周部３Ａおよびシール中央部３Ｂに画成されることになる
【００２４】
粘着剤層４は、その粘着剤を弱粘着性としている。
粘着剤層４の粘着剤は、たとえば、ＪＩＳ  Ｚ−１５３８  ０２３７による接着力が、５０〜２５０ｇｆ／２５ｍｍである。
接着力が、５０ｇｆ／２５ｍｍ未満では、接着力不足で、物品への貼り付け機能を発揮することができない。
接着力が、２５０ｇｆ／２５ｍｍをこえると、シール片３を物品からはがしにくく、書籍などの物品を破損してしまうおそれがある。
シール片３から台紙２をはがす際の抵抗力であるシール１の剥離力としては、幅５０ｍｍのシール片３を固定した状態で、台紙２の一端部をシール片３の粘着剤層４から剥離するようにシール片３に対して１８０度折り返した方向へ３００ｍｍ／分の速度で引きはがす際に要する力が、１０〜５０ｇｆ／５０ｍｍである。
剥離力が、１０ｇｆ／５０ｍｍ未満では、シール加工の最中やシール１として取り扱う際に、台紙２とシール片３とが互いに剥離（分離）してしまうおそれがある。
剥離力が、５０ｇｆ／５０ｍｍをこえると、台紙２およびシール片３を互いに剥離（分離）する際に、シール片３が台紙２からはがれにくく、シール外周部３Ａのみがはがれてシール中央部３Ｂが台紙２上に残るなどシール片３が分離するおそれがある。
【００２５】
図３は、上述のようなシール１において、貼替え防止用カット５の部分からシール片３を切断分離することなく、台紙２からシール片３をきれいに剥離するためのシール剥離器１０の概略断面側面図であって、シール剥離器１０は、上部を開放した直方体形状の剥離器本体１１と、ロール状に巻いたシール１の保持部１２と、転向剥離部１３と、を有する。
【００２６】
転向剥離部１３は、シール１の移送方向上流側から、ガイド部材１４と、剥離板１５と、保持板１６と、を有する。
ガイド部材１４は、保持部１２から繰り出されたシール１を剥離板１５に対してやや下方から進入するようにガイドする。
剥離板１５は、その先端部においてシール１の台紙２のみを下方に引っ張って転向させ、台紙２からシール片３を剥離可能とする。
保持板１６は、台紙２から剥離されたシール片３を一時的に保持する。
【００２７】
前記構成のシール剥離器１０において、保持部１２から巻き出され、転向剥離部１３のガイド部材１４でガイドされたシール１は、台紙２に仮着した状態で剥離板１５の上面を水平方向に移動する。剥離板１５の端部で台紙２が下方に転向されると、シール片３はそれ自体の腰の強さにより台紙２から剥離されつつ水平方向に移送されて行く。シール片３一枚分の長さだけ台紙２を引っ張ると、シール片３は台紙２から完全に剥離され、保持板１６上に仮保持される。保持板１６上のシール片３は、指で簡単に摘むことができる。
シール片３には貼替え防止用カット５が形成されているが、台紙２からシール片３を剥離する際には台紙２のみが引っ張られるため、貼替え防止用カット５を拡げる向きには力が加わらない。さらに、シール片３の貼替え防止用カット５にはアンカット部６が設けてあることにより、シール片３は全体として一体性を維持しつつ、損傷することなく剥離される。
なお、前述の説明はシール片３を外側に向けてロール状に巻いた場合のシール１の例である。反対にシール片３を内側に向けてロール状に巻回した場合は、図３に仮想線で示すように、シール１は経路１Ａのように巻き出され、転向剥離部１３に至る。
【００２８】
かくして、台紙２のみを転向剥離部１３において転向させてシール片３を台紙２から適正に剥離して、物品（書籍Ｍ、図４（１））に貼り付けることにより、所定の情報（表示情報７）を表示可能である。
すなわち、図４は、シール１および書籍Ｍを示す説明図であり、図４（１）は、書籍Ｍにシール片３を貼り付けた状態を示す斜視図、図４（２）は、書籍Ｍからシール片３をはがし始めた状態を示す斜視図、図４（３）は、シール外周部３Ａをはがした状態を示す斜視図、図４（４）は、シール中央部３Ｂもはがした状態を示す斜視図である。
【００２９】
図４（１）に示すように、「お会計済」の表示情報７を表示しているシール片３を書籍Ｍに貼り付けることにより、この書籍Ｍの会計が完了していることを表示可能であって、精算が完了していることの確認を行うことができる。
図４（２）〜（４）に示すように、この表示情報７（「お会計済」、図１）の表示が不要となった際に、シール片３を書籍Ｍからはがすことができる。
【００３０】
すなわち、図４（２）に示すように、シール片３の一端部（実際には、シール片３のシール外周部３Ａの一端部）をはがし始めると、貼替え防止用カット５の部分でシール外周部３Ａとシール中央部３Ｂとが分離し始める。
図４（３）に示すように、シール外周部３Ａを完全にはがしても、貼替え防止用カット５におけるアンカット部５が切り裂かれることにより、シール中央部３Ｂが書籍Ｍに貼り付いた状態で残っている。
ついで図４（４）に示すように、シール中央部３Ｂをはがせば、書籍Ｍの表面からシール片３を完全に取り除くことができる。
【００３１】
上述したシール片３をはがす操作自体は、書籍Ｍを購入した購入者が行うことになるが、シール片３の粘着剤層４が弱粘着性であるため、書籍Ｍを傷つけ、あるいは破損することがない。
なお、このはがす際に貼替え防止用カット５およびアンカット部６が切り裂かれることによりシール片３全体としての形状を保持できなくても、購入後であるため、とにかくシール片３をはがすことができれば支障はない。
【００３２】
また、不正貼替え行為を目的として、書籍Ｍからシール片３をはがし、書店に並んでいる他の書籍Ｍなどに貼り付けようとしても、シール片３の貼替え防止用カット５の部分を切り離さず、かつ、はがしたのちのシール片３を他の書籍Ｍにきれいに貼り付ける操作自体は、相当の注意力ないし集中力を必要とし、不正貼替え行為自体の抑制ないし防止効果を期待することができる。
【符号の説明】
【００３３】
１  シール（実施例、図１）
１Ａ  シール１の経路（図３、仮想線）
２  台紙
３  シール片
３Ａ  シール片３のシール外周部
３Ｂ  シール片３のシール中央部
４  粘着剤層
５  貼替え防止用カット
６  アンカット部
７  表示情報
１０  シール剥離器（図３）
１１  剥離器本体
１２  保持部
１３  転向剥離部
１４  ガイド部材
１５  剥離板
１６  保持板
Ｍ    書籍（物品、図４）
【図１】
2014235230.tif 000003
【図２】
2014235230.tif 000004
【図３】
2014235230.tif 000005
【図４】
2014235230.tif 000006